(57)【要約】      （修正有）【課題】通常２本の釣り針が使われる遊動式タイラバ仕掛けを３本の釣り針仕様にするための、「アシストフック」を、安全に、簡単に着脱できる「ジャンプパーツ」の提供。【解決手段】「ジャンプパーツ」は樹脂性で本体の縦方向に貫く糸通し穴が中央部にあけられており、フック部の折り返を通す。「ジャンプアップパーツ」は円形のツバが上部に、円形の一部をカットしたツバが下部に設けられている。これらのツバは「アシストフック」が「ジャンプパーツ」から外れないように留めておくためのもであり、「アシストフック」の着脱時の作業性を向上させるだけでなく、仕掛けの作成もより簡単にした。【選択図】図４
2017158531.tif 000002
【特許請求の範囲】
【請求項１】
「仕掛け」に「アシストフック」の着脱を簡単にするための部材である「ジャンプパーツ」。
【請求項２】
〈図１〉に示した、上下に帽子のツバ状に突起をつけた円筒形で、真ん中に糸通しの穴が開く「ジャンプパーツ」の形状。
【請求項３】
「アシストフック」の着脱の利便性の向上と「フック部」の強度を確保する「ジャンプパーツ」。
【請求項４】
アシストフックを装備した、「フック部」の作成を、短時間で安全、正確、簡単におこなう為の「ジャンプパーツ」。
【発明の詳細な説明】
【技術分野】
【０００１】  この発明は、「仕掛け」への「アシストフック」の着脱を〈図４〉のようにすることで、「アシストフック」を装備した「仕掛け」用の針の作成作業を簡略かつ安全にする「ジャンプパーツ」の形状に関する。
【背景技術】
【０００２】「仕掛け」全体の形状を〈図３〉に「仕掛け」のパーツ構成を〈図２〉に示した。【０００３】  ここに示した「仕掛け」は、〈図２〉のように、Ａ、Ｂの釣り針を編糸の両端に結びつけ、その中心部付近に結びコブ［ロ］を作ったもの（以下、「フック部」）がパーツとして組み込まれている。【０００４】  「アシストフック」はこの「フック部」に装着する。【０００５】  「ジャンプパーツ」の使用方法を〈図５〉に示した。これは「ジャンプパーツ」のツバＡとツバＢの間に「アシストフック」の編糸の針のついていない側を結び、〈図５〉のような「アシストフック」を作成する為の部材である。さらに、〈図２〉、〈図３〉に示した「フック部」▲１▼の折り返し部分から「ジャンプパーツ」の糸通し穴に通し〈図４〉のフック部を作成する。
【発明が解決しようとする課題】
【０００６】「ジャンプパーツ」を使用せずに「フック部」に「アシストフック」を装着する場合に考えられる手法を、〈図６〉，〈図７〉に示し、それぞれの問題点について説明する。
【０００７】〈図６〉の方法は、釣り針Ｄを結んだ編糸の先に、追加の釣り針Ｅをさらに結び付け「アシストフック」を装備したフック部を作成したもの。仕掛けの使用中に起こりがちな、糸絡みのトラブルを減らすのに有効な形な状に仕上がる。
【０００８】  ここでの問題は、作成作業において、釣り針Ｄと追加で結ぶ釣り針Ｅとの間隔（アシストフック部分の長さ）を作成のたびに一定にすることが困難であり、また作成作業従事者が怪我をし易い工程であること。
【０００９】  このため、〈図６〉のように「アシストフック」を装備したフック部の商品化をおこなう際、作成時間の長期化や不良品の発生率の上昇を招く。作業の難度か高く加工賃も高額化も予測される。結果、製造原価の上昇に起因する販売価格の上昇や納期の長期化など、製品の市場での競争力に悪影響を与える懸念材料となる可能性が高い。
【００１０】〈図７〉の方法は、「ジャンプパーツ」を使用せずに、「フック部」中央付近に作った結びコブ［ロ］上部に直接「アシストフック」を結ぶもの。「アシストフック」部分の長さの調整が簡単なため、作成作業はしやすくなる。
【００１１】  しかし、結び目［イ］の部分での強度低下が予想されることが問題となる。実際の強度はともかく、釣り人には、このような釣り糸どうしの結節部分は強度が劣るという認識があるため、時に１０キログラムを超える魚とのやり取りをおこなう鯛ラバ用「仕掛け」の構成部品としては、マーケティングの面からも避けるべき構造である。
【課題を解決するための手段】
【００１２】  以上の問題を解決するための発明は、「仕掛け」への「アシストフック」の着脱を簡単にし、また、「アシストフック」を装備した「仕掛け」用のフック部を交換パーツとして商品化する際、作成作業を簡単かつ安全にする「ジャンプパーツ」である。
【発明の効果】
【００１３】  発明によれば、「ジャンプパーツ」を使用することで、仕掛けへの「アシストフック」の脱着が簡単になる。
【００１４】  加えて、「アシストフック」を装備したフック部〈図４〉の作成が簡単かつ安全に行える為、これを商品化する際のコストの軽減や納期の短縮、製造作業従事者の怪我の問題の解決への貢献が期待できる。
【図面の簡単な説明】
【００１５】
【図１】この発明の実施形状を示す図面。
【図２】一般的な遊動式タイラバのパーツ構成の解説図、フック部分の解説図。
【図３】一般的な遊動式タイラバの実施形状を示す図。
【図４】「ジャンプパーツ」を使用して「アシストフック」を装備したフック部。
【図５】「ジャンプパーツ」を装着した「アシストフック」
【図６】「ジャンプパーツ」を使用せずに「アシストフック」を装備したフック部。
【図７】「ジャンプパーツ」を使用せずに「アシストフック」を装備したフック部。
【発明を実施するための形状】
【００１６】  この発明の実施形状の図面を〈図１〉に示す。
「ジャンプパーツ」の本体は、ＡＢＳ製などの樹脂製であり、本体を縦方向に貫く糸通し穴が中央部に開けられている。
【００１７】  糸通し穴は〈図４〉のように「フック部」の編糸を折り返し部分から通すためのもので、「フック部」中央付近に作られた結びコブ［ロ］が通り抜けられない大きさとなっている。
【００１８】「ジャンプパーツ」には、円形のツバＡが上部に、円形の一部をカットしたツバＢが下部に設けられている。
【実施形状の効果】
【００１９】この発明では、「アシストフック」は、〈図５〉のように、「ジャンプパーツ」に結ばれ〈図４〉の「フック部」の形状を成す。〈図７〉のように「フック部」の編み糸に直接「アシストフック」を結ばないことで、結び目［イ］部分の強度低下を軽減させられる。
【００２０】  また、この方法によれば、「アシストフック」を装備した「仕掛け」用の「フック部」を交換用パーツとして商品化をする際に、上記［０００８］に記した製造上の問題も回避できる。
【００２１】  「ジャンプパーツ」に設けたツバＡ、ツバＢは「アシストフック」が「ジャンプパーツ」から外れないよう留めておくためのもの。
【００２２】  ツバＢ部分に円形の一部がカットされた形状は、あと付けとなる「アシストフック」をまとめる際の目印となるが、必ずしも必要な物ではない。
【００２３】  他の実施形状では、ツバＢに切れ込みを入れず、ツバＡ同様の円形の状態でも構わない。また、ツバＢのカット部分は、円形状の一部をカットしたものではなく、円形のツバにＵ字、Ｖ字型などの切れ込みを入れても構わない。
【００２４】「ジャンプパーツ」全体及び各部分のサイズは、「仕掛け」及び「仕掛け」用のパーツに使用された他の部材とのバランスが重要になるため、図１に記載した寸法に限定されない。
【産業上の利用可能性】
【００２５】  本発明は「ジャンプパーツ」を製造する産業で利用される。
【符号の説明】
【００２６】図１  ツバＡ    「ジャンプパーツ」の円形状の突起。
図１  ツバＢ    「ジャンプパーツ」の突起。円形の一部が削られた形状。
図１  糸通し穴  「ジャンプパーツ」の中心部に開けられた穴。
図２  針Ａ        編糸に結ばれた釣り針
図２  針Ｂ        編糸に結ばれた釣り針
【図１】
2017158531.tif 000003
【図２】
2017158531.tif 000004
【図３】
2017158531.tif 000005
【図４】
2017158531.tif 000006
【図５】
2017158531.tif 000007
2017158531.tif 000008
【手続補正書】
【提出日】平成28年7月14日(2016.7.14)
【手続補正１】
【補正対象書類名】図面
【補正対象項目名】図６
【補正方法】追加
【補正の内容】
【図６】
2017158531.tif 000009
【手続補正２】
【補正対象書類名】図面
【補正対象項目名】図７
【補正方法】追加
【補正の内容】
【図７】
2017158531.tif 000010